(57)【特許請求の範囲】
【請求項１】
基地局を有する無線アクセス網と、
前記無線アクセス網は、ユーザが緊急呼オフィスに緊急呼を発信する際に必要となる緊急呼番号を取得し、
前記緊急呼番号に対応しており、前記緊急呼オフィスに固有の接続情報である緊急呼オフィス接続端子番号のうち、前記緊急呼オフィスへの接続に使用されていない緊急呼オフィス接続空き端子番号を、前記無線アクセス網に通知する交換機と、
前記無線アクセス網は、前記緊急呼番号と前記緊急呼オフィス接続空き端子番号を基に報知情報を形成し、前記報知情報を前記基地局から放送し、
前記放送される前記報知情報を記憶し、前記ユーザによる前記緊急呼の発信を検出した際には、前記記憶した前記報知情報に含まれる前記緊急呼オフィス接続空き端子番号を一つ選択し、前記無線アクセス網に対し、前記選択した前記緊急呼オフィス接続空き端子番号を含む前記緊急呼番号を用いて、前記緊急呼の発信要求信号を送信する移動体端末を具備し、
前記交換機は、前記無線アクセス網から前記緊急呼を受信すると、前記緊急呼を通常呼よりも短い時間で前記緊急呼オフィスへ接続する
緊急呼接続システム。
【請求項２】
請求項１に記載の緊急呼接続システムにおいて、
前記無線アクセス網に含まれる空き通信無線チャネル数が、前記交換機から通知された前記緊急呼オフィス接続空き端子番号の数よりも少ない場合、前記無線アクセス網が、前記空き通信無線チャネル数分の前記緊急呼オフィス接続空き端子番号を選択し、前記選択した前記緊急呼オフィス接続空き端子番号を含む前記報知情報を、前記基地局から前記放送する
緊急呼接続システム。
【請求項３】
請求項１に記載の緊急呼接続システムにおいて、
前記基地局を複数含み、前記複数の基地局のうちの第１の前記基地局から放送された前記報知情報に、前記緊急呼オフィス接続空き端子番号が含まれない場合、前記移動体端末は、前記複数の基地局のうちの第２の前記基地局から放送される前記報知情報に含まれる前記緊急呼オフィス接続空き端子番号を一つ選択し、前記無線アクセス網に対し、前記選択した前記緊急呼オフィス接続空き端子番号を含む前記発信要求信号を送信する
緊急呼接続システム。
【請求項４】
請求項１乃至３のいずれか１項に記載の緊急呼接続システムにおいて、
前記無線アクセス網が、前記移動体端末から前記発信要求信号を受信した場合、前記発信要求信号に含まれる前記緊急呼オフィス接続空き端子番号を含む前記報知情報の前記放送を中止し、前記移動体端末以外の他の前記移動体端末から前記放送の中止された前記緊急呼オフィス接続空き端子番号を含む前記発信要求信号を受信した場合には、前記緊急呼の発信拒否を前記他の移動体端末に通知し、前記通知した前記他の移動体端末に対し、前記緊急呼番号に対応する前記緊急呼オフィス接続空き端子番号のうち、前記発信要求信号に含まれない前記緊急呼オフィス接続空き端子番号の選択を要求する
緊急呼接続システム。
【請求項５】
無線アクセス網から緊急呼および通常呼のいずれか一方の呼を受信し、受信した前記呼を緊急呼オフィスに接続する交換機において、
前記緊急呼を受信すると、前記緊急呼オフィスに固有の接続情報である緊急呼オフィス接続端子番号のうち、前記緊急呼にて用いられていない空き端子の番号である緊急呼オフィス接続空き端子番号を前記無線アクセス網へ通知し、
前記無線アクセス網は、前記通知された前記緊急呼オフィス接続空き端子番号を放送し、移動体端末からの前記緊急呼の発信要求に備え、
前記交換機は、前記緊急呼を受信した後、前記緊急呼を発信した移動体端末と前記無線アクセス網の通信ベアラを確立し、前記通信ベアラの前記交換機側終端点を示す交換機側終端点番号と前記緊急呼オフィス接続端子番号とを接続し、
前記移動体端末および前記緊急呼オフィスのいずれか一方からの切断信号を受信すると、前記接続した状態を切断し、前記切断した後に前記交換機側終端点番号、前記緊急呼オフィス接続端子番号、前記通信ベアラを解放する
交換機。
【請求項６】
無線アクセス網から緊急呼および通常呼のいずれか一方の呼を受信し、前記受信した前記呼を緊急呼オフィスへ接続する交換機において、
前記交換機は、予め移動体端末と前記無線アクセス網との間で合意されたアルゴリズムに前記無線アクセス網が前記呼毎に生成する乱数を入力することによって行う認証処理、前記移動体端末のユーザの希望する付加サービスに関する情報の検索、前記呼を含む無線音声信号の暗号化のために行う秘匿処理、前記移動体端末からの着信相手を分析するために行う受信数字分析、前記ユーザが前記呼を緊急呼オフィスに接続しているか否かに関する情報を記憶するメモリ内の情報を、前記ユーザが前記呼を緊急呼オフィスに接続されていることを示す閉塞に更新し、前記呼に対する課金情報とトラフィック情報の収集処理を行い、
緊急呼を受信した場合は、必要に応じ、前記認証処理、前記検索、前記秘匿処理、前記受信数字分析、前記メモリの前記閉塞への更新、前記収集処理の実行を省略し、前記緊急呼オフィスに固有の接続情報である緊急呼オフィス接続端子番号のうち、前記緊急呼にて用いられていない空き端子の番号である緊急呼オフィス接続空き端子番号を前記無線アクセス網へ通知し、
前記無線アクセス網は、前記通知された前記緊急呼オフィス接続空き端子番号を放送し、移動体端末からの前記緊急呼の発信要求に備える
交換機。
【請求項７】
記憶部と検索部と呼発信部を有する移動体端末において、
前記記憶部は、ユーザが緊急呼オフィスに緊急呼を発信する際に必要となる緊急呼番号と、前記緊急呼番号に対応しており前記緊急呼オフィスに固有の接続情報である緊急呼オフィス接続端子番号のうち、前記緊急呼オフィスへの接続に使用されていない緊急呼オフィス接続空き端子番号を含む報知情報を記憶し、
前記検索部は、ユーザのダイヤルした前記緊急呼番号に対応する前記緊急呼オフィス接続空き端子番号を、前記記憶部から一つ選択し、
前記呼発信部は、前記検索部が選択した前記緊急呼オフィス接続空き端子番号を含む前記緊急呼の発信要求信号を無線アクセス網に送信する
移動体端末。
【請求項８】
緊急呼オフィスに緊急呼を発信する際に必要となる緊急呼番号を取得するステップと、
前記緊急呼番号に対応しており、前記緊急呼オフィスに固有の接続情報である緊急呼オフィス接続端子番号のうち、前記緊急呼オフィスへの接続に使用されていない緊急呼オフィス接続空き端子番号を無線アクセス網へ通知するステップと、
前記緊急呼番号と前記緊急呼オフィス接続空き端子番号を基に報知情報を形成し、前記報知情報を基地局から放送するステップと、
移動体端末が、前記放送する前記報知情報を記憶するステップと、
ユーザによる前記緊急呼の発信を検出した際に、前記記憶した前記緊急呼オフィス接続空き端子番号を一つ選択するステップと、
前記選択した前記緊急呼オフィス接続空き端子番号を含む前記緊急呼番号を用いて、前記緊急呼の発信要求信号を前記無線アクセス網に送信するステップと、
前記緊急呼を交換機に発信するステップと
を具備する
緊急呼接続方法。
【請求項９】
請求項８に記載の緊急呼接続方法において、
前記無線アクセス網に含まれる空き通信無線チャネル数が、前記交換機から通知された前記緊急呼オフィス接続空き端子番号の数よりも少ない場合、前記空き通信無線チャネル数分の前記緊急呼オフィス接続空き端子番号を選択し、前記選択した前記緊急呼オフィス接続空き端子番号を含む前記報知情報を、前記基地局から前記放送するステップ
を具備する
緊急呼接続方法。
【請求項１０】
請求項８に記載の緊急呼接続方法において、
前記基地局を複数含み、前記複数の基地局のうちの第１の前記基地局から放送された前記報知情報に、前記緊急呼オフィス接続空き端子番号が含まれない場合、前記移動体端末は、前記複数の基地局のうちの第２の前記基地局から放送される前記報知情報に含まれる前記緊急呼オフィス接続空き端子番号を一つ選択し、前記選択した前記緊急呼オフィス接続端子空き番号を含む前記発信要求信号を送信するステップ
を具備する
緊急呼接続方法。
【請求項１１】
請求項８乃至１０のいずれか１項に記載の緊急呼接続シス
テムにおいて、
前記移動体端末から前記発信要求信号を受信した場合、前記発信要求信号に含まれる前記緊急呼オフィス接続空き端子番号を含む前記報知情報の前記放送を中止するステップと、
前記放送の中止された前記緊急呼オフィス接続空き端子番号を前記移動体端末以外の他の移動体端末から受信した場合には、前記緊急呼の発信拒否を前記他の移動体端末に通知し、前記緊急呼番号に対応する前記緊急呼オフィス接続空き端子番号のうち、前記発信要求信号に含まれない前記緊急呼オフィス接続空き端子番号の選択を要求するステップ
を具備する
緊急呼接続方法。
【請求項１２】
無線アクセス網から緊急呼および通常呼のいずれか一方の呼を受信し、受信した前記呼を緊急呼オフィスに接続する交換機の動作方法において、
前記緊急呼を受信すると、前記緊急呼オフィスに固有の接続情報である緊急呼オフィス接続端子番号のうち、前記緊急呼にて用いられていない空き端子の番号である緊急呼オフィス接続空き端子番号を前記無線アクセス網に通知するステップと、
前記通知された前記緊急呼オフィス接続空き端子番号を放送するステップと、
前記緊急呼を発信した移動体端末と前記無線アクセス網の通信ベアラを確立し、前記通信ベアラの前記交換機側終端点を示す交換機側終端点番号を得るステップと、
前記交換機側終端点番号が、前記緊急呼オフィスに固有の接続情報である緊急呼オフィス接続端子番号と接続するステップと、
切断信号を受信したことに応答して、前記交換機側終端点番号と前記緊急呼オフィス接続端子番号との接続を切断するステップと、
前記切断した後に前記交換機側終端点番号と前記緊急呼オフィス接続端子番号と前記通信ベアラを解放するステップと
を具備する
交換機の動作方法。
【請求項１３】
無線アクセス網から緊急呼および通常呼のいずれか一方の呼を受信し、受信した前記呼を緊急呼オフィスに接続する交換機の動作方法において、
予め移動体端末と前記無線アクセス網との間で合意されたアルゴリズムに対し、前記呼毎に生成する乱数を入力する認証処理を行うステップと、
前記移動体端末のユーザの希望する付加サービスに関する情報の検索を行うステップと、
前記呼を含む無線音声信号を暗号化するための秘匿処理を行うステップと、
前記移動体端末からの着信相手を分析するための受信数字分析を行うステップ
と、
前記ユーザが前記呼を緊急呼オフィスに接続しているか否かに関する情報を記憶するメモリ内の情報を、前記ユーザが前記呼を前記緊急呼オフィスに接続されていることを示す閉塞に更新するステップと、
前記呼に対する課金情報、トラフィック情報の収集処理を行うステップと、
を具備し、
前記緊急呼を受信した場合は、必要に応じ、前記認証処理、前記加入者データ検索、前記秘匿処理、前記受信数字分析、前記メモリの前記閉塞への更新、前記収集処理を行うステップは省略し、前記緊急呼オフィスに固有の接続情報である緊急呼オフィス接続端子番号のうち、前記緊急呼にて用いられていない空き端子の番号である緊急呼オフィス接続空き端子番号を前記無線アクセス網に通知するステップと、
前記通知された前記緊急呼オフィス接続空き端子番号を放送するステップとを具備する
交換機の動作方法。
【請求項１４】
記憶部と検索部と呼発信部を有する移動体端末の動作方法において、
ユーザが緊急呼オフィスに緊急呼を発信する際に必要となる緊急呼番号と、前記緊急呼番号に対応しており前記緊急呼オフィスに固有の接続情報である緊急呼オフィス接続端子番号のうち、前記緊急呼オフィスへの接続に使用されていない緊急呼オフィス接続空き端子番号を含む報知情報を記憶するステップと、
ユーザがダイヤルした前記緊急呼番号に対応する前記緊急呼オフィス接続空き端子番号を、前記記憶部から一つ選択するステップと、
選択した前記緊急呼オフィス接続空き端子番号を含む前記緊急呼の発信要求信号を無線アクセス網に送信するステップと
を具備する
移動体端末の動作方法。
【発明の詳細な説明】
【０００１】
【発明の属する技術分野】
本発明は、緊急呼接続システムに関し、特に通常呼と比較して緊急呼の接続遅延時間の短縮を可能にするシステムに関する。
【０００２】
【従来の技術】
緊急呼優先接続方式を利用した移動体通信システムに関する技術が、特開平５−７５５３６号に記載されている。
【０００３】
この従来技術によると、緊急呼優先接続方式を利用した移動体通信システムは、一般クラス、または優先クラスの何れかのクラスが指定された移動体端末と、無線回線で接続された移動体端末との間で、各種信号の送受信を行う無線基地局から構成されている。無線基地局は、自無線ゾーン内の通信が輻輳状態の時、自無線ゾーン内の移動体端末に対して規制情報を送出する。移動体端末は規制情報を受信した際、自端末が優先クラスであれば、自端末からの発信に対しては規制をせずに発信処理を行う。自端末が一般クラスであれば、発信処理を停止する。一般クラスの移動体端末には、必要な各部の動作を制御する制御手段と、予め設定された緊急呼番号および受信した規制情報を格納するメモリ手段が設けられている。制御手段は、一般クラスの移動体端末のユーザがダイヤルしたダイヤル番号を検出した時は、メモリ手段から緊急呼番号と規制情報とを読み出した後、検出したダイヤル番号と緊急呼番号とを照合する。照合の結果、検出したダイヤル番号が緊急呼番号と一致した場合には、規制情報を受信していても、緊急呼番号と一致したダイヤル番号に対しては、優先的に発信処理を行う。
【０００４】
パーソナル通信システムにおける緊急通信方法及びパーソナル通信システムに関する技術が、特開平６−３２６７７１号に記載されている。
【０００５】
この従来技術によると、パーソナル通信システムにおける緊急通信方法は次の方法で行う。呼を発生する電話端末装置から第１のパーソナル通信アクセス情報、及び緊急通信識別情報を送出する。さらに、緊急通信識別情報に応答して第１のパーソナル通信アクセス情報に対応する電話番号を決定し、決定された電話番号が割り当てられている電話端末装置へ呼を着信させる。第１のパーソナル通信アクセス情報は、着信先パーソナル番号及び優先順位であり、一定時間経過時に応答が無い場合には、優先順位に従って次の優先順位の電話端末装置へ呼を着信させる。
【０００６】
パーソナル通信システムにおける緊急通信システムは、第１のパーソナル通信アクセス情報を記録した記録媒体を読み取る読み取り装置、及び緊急通信識別情報を出力する識別情報出力装置を有する電話端末装置、電話端末装置が接続される交換機、第１のパーソナル通信アクセス情報と着信先電話番号との対応づけを記録するデータベース、交換機とデータベースとの間に接続された信号装置から構成されている。信号装置は、呼の発生に際して電話端末装置から送出された緊急通信識別情報を受信したことを交換機から通知されたとき、呼を発生した電話端末装置からの第１のパーソナル通信アクセス情報でデータベースを検索する。信号装置は、さらに検索で得られた着信先電話番号を管理している交換機を介して、検索で得られた着信先電話番号が割り当てられている電話端末装置へ呼を着信させる。
【０００７】
移動局のアクセス制限方法とそれを用いた移動体通信システムに関する技術が、特開平８−３１７４７１号に記載されている。
【０００８】
この従来技術によれば、移動体通信システムはサービスエリアに備えた基地局と、サービスエリア内に存在する複数の移動局とを無線回線で接続し、各移動局は基地局を介して他のネットワークに接続して構成されている。この移動体通信システムでは、ランダムアクセスチャネルに対する移動局の発信動作を、グループ選択的且つ有限長の時間幅をもって一時的に禁止する通信規制情報を備えている。この通信規制情報を、報知チャネルを介して移動局に送信する。通信規制情報には、規制対象の移動局電話番号の数値条件を示す番号情報と、通信規制時間の終了時刻の情報が含まれている。
【０００９】
通信規制情報を受信し、自局が規制対象であることを検出した場合に、発信禁止時間内では、個別呼び出しされた場合と、ユーザが警察通報及び消防・救急通報を要求する緊急通信の場合を除き、自局の発信を禁止する発信禁止機能と、通信規制中であることと、その解除をユーザに報知する出力機能を備えている。移動局は、さらにアクセス規制の対象である場合と、非対象である場合の、二つの異なる待ち受け受信モードを備えており、それぞれの場合において受信レベルの表示形式を変更するようにしている。
【００１０】
緊急呼優先接続装置及び緊急呼優先接続システムに関する技術が、特開平１１−９８５５４号に記載されている。この従来技術の構成図を図１３に示す。
【００１１】
第１の緊急呼優先接続装置１０は、呼受け付け手段１１、通話回線監視手段１２、切り替えメッセージ通知手段１３、接続可能数管理手段１４、一般呼移動手段１５、緊急呼接続手段１６とから構成される。呼受け付け手段１１は、呼の受け付けを行う。通話回線監視手段１２は、基地局４０との通話回線の状態を監視する。切り替えメッセージ通知手段１３は、通話回線がすべて塞がった状態で緊急呼である呼を受け付けた場合、緊急呼を保留した後、基地局４０に対して通話中である一般呼のチャネルを他基地局５０に切り替えることを指示する。接続可能数管理手段１４は、切り替えメッセージ１３ａに対する基地局４０からの応答メッセージ１４ａを参照し、チャネル切替えして接続可能な移動機６０の数を、抽出して管理する。一般呼移動手段１５は、基地局４０からのチャネル切替え要求によって、他基地局５０へ通話中の一般呼を移動させる。緊急呼接続手段１６は、空いた電話回線に緊急呼を接続させる。
【００１２】
この従来技術では、基地局との通話回線がすべて塞がっている場合は、大幅な緊急呼接続遅延が発生する。これは、緊急呼発信動作が開始された後に、該基地局の一般呼を他の基地局に切替えなければならず、端末が通信可能な前記他基地局の検索と、他基地局への呼切替えで手順に時間を要するためである。  したがって本発明の目的は、基地局との通話回線がすべて塞がっている場合でも、接続遅延時間を従来と比較して短くできるシステムを提供することにある。
【００１３】
緊急呼管理を行うワイヤレス通信方法及び装置に関する技術が、特開平１１−２３４７３０号に記載されている。
【００１４】
この従来技術によれば、緊急呼管理を行うワイヤレス通信方法は、次のものである。まず、利用者が行ったダイヤル操作が緊急呼であるかどうかを判定し、緊急呼であれば緊急呼識別情報を無線リンク確立メッセージに付加して無線基地局に通知する。無線基地局経由で受け取った無線リンク確立メッセージから緊急呼であることが抽出されたら、無線チャネルの空きの有無を判定する。判定の結果、空きがない場合には、既存の通話チャネルの切断・解放を行ない、緊急呼用に無線チャネルを確保する。
【００１５】
この従来技術によれば、緊急呼管理を行うワイヤレス通信方法において利用するワイヤレス通信装置では、各無線端末内の中央制御装置に少なくとも緊急呼番号判定手段と無線リンク確立手段、各無線端末内のメモリに少なくとも緊急呼番号蓄積メモリ、無線基地局制御装置内の中央制御装置に少なくとも緊急呼要求制御手段、呼状態管理手段及び呼制御手段、無線基地局制御装置内のメモリに少なくとも呼状態管理メモリが設けられている。
【００１６】
利用者が行ったダイヤル操作が緊急呼であるか否かは、各無線端末の緊急呼番号判定手段で判定する。緊急呼であれば、緊急呼識別情報を無線リンク確立手段が送出する無線リンク確立メッセージに付加して無線基地局に送出する。この緊急呼識別情報が付加された無線リンク確立メッセージを無線基地局経由で受け取った無線基地局制御装置の緊急呼要求制御手段は、呼状態管理手段に問い合わせて呼状態管理メモリからリンク接続状態を読み出し、無線チャネルの空きの有無を判定する。空きが無い場合には、緊急呼要求制御手段は、呼制御手段を起動して、既存の通話チャネル上の呼の切断・解放を行い、緊急呼用に無線チャネルを確保する。
【００１７】
移動電話通信システムにおける情報通知方式に関する技術が、特開平１１−２５２６４３号に記載されている。
【００１８】
この従来技術によれば、移動電話通信システムにおいては、表示部を備える携帯電話の加入者情報を保持する加入者データベースを備えている。この移動電話通信システムでは、携帯電話の加入者への伝達情報が登録される情報データベースが設けられ、加入者データベースに各加入者に対する伝達情報の存在を表す情報が設定される。移動交換局は、携帯電話からの通常の発信時に、発信側の加入者及び着信側の加入者への伝達情報に関する情報読出の要求を加入者データベースに送出する。加入者データベースは、要求された各加入者情報と伝達情報を表す情報を取り出すと、それぞれの伝達情報を情報データベースから読出して移動交換局に送信する。移動交換局は、伝達情報を呼制御メモリに格納し、さらに発信側と着信側との接続完了、または通話の切断の何れかの時点で発信側及び着信側に送信される制御メッセージに、発信側及び着信側への伝達情報を付加して送信し、各加入者に通知する。
【００１９】
ＰＨＳ緊急発進呼接続制御方式及び方法に関する技術が、特許第２９３００４０号に記載されている。
【００２０】
この従来技術によれば、ＰＨＳ緊急発信呼接続制御は、次の方式で行う。ＰＨＳにおいて、セルステーションが最大呼接続状態中に、新たにＰＨＳ加入者から、警察、消防などの緊急用特番呼に通話要求があったものとする。このとき、通話中のチャンネルを一旦切断し、緊急用特番呼を割込みさせるための通話チャンネルを選択する。緊急用特番呼の割込みにより通話を切断される前に、予め通話中の加入者双方に、緊急発信通話割込み通知用のアナウンスを送信する。尚、緊急用特番呼が一定の通話時間を超えても通話接続する場合、割込みチャンネルを移し変えて通話継続する。また、別の通話チャンネルに移し変えた後に、緊急用特番呼割込みにより通話を切断された加入者双方の呼を、自動的に再接続する。
【００２１】
【発明が解決しようとする課題】
本発明の目的は、端末による緊急呼が通常呼に比べて短い遅延時間で接続できるシステムを提供することにある。
【００２２】
また本発明の他の目的は、基地局との通話回線がすべて塞がっている場合でも、緊急呼接続遅延が最小限となるシステムを提供することにある。
【００２３】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００２４】
本発明の緊急呼接続システムは、基地局（１３０−２）を有する無線アクセス網（１３０）を具備しており、前記無線アクセス網（１３０）は、ユーザが緊急呼オフィス（１１０）に緊急呼を発信する際に必要となる緊急呼番号（ｂ）を取得する。また、前記緊急呼番号（ｂ）に対応しており、前記緊急呼オフィス（１１０）に固有の接続情報である緊急呼オフィス接続端子番号（Ｂ）のうち、前記緊急呼オフィス（１１０）への接続に使用されていない緊急呼オフィス接続空き端子番号（ＮＢ）を、前記無線アクセス網（１３０）に通知する交換機（１２０）を具備しており、前記無線アクセス網（１３０）は、前記緊急呼番号（ｂ）と前記緊急呼オフィス接続空き端子番号（ＮＢ）を基に報知情報（ＮＢｂ）を形成し、前記報知情報（ＮＢｂ）を前記基地局（１３０−２）から放送する。さらに、前記放送される前記報知情報（ＮＢｂ）を記憶し、前記ユーザによる前記緊急呼の発信を検出した際には、前記記憶した前記報知情報（ＮＢｂ）に含まれる前記緊急呼オフィス接続空き端子番号（ＮＢ）を一つ選択し、前記無線アクセス網（１３０）に対し、前記選択した前記緊急呼オフィス接続空き端子番号（ＮＢ）を含む前記緊急呼番号（ｂ）を用いて、前記緊急呼の発信要求信号を送信する移動体端末（１４０）を具備している。前記交換機（１２０）は、前記無線アクセス網（１３０）から前記緊急呼を受信すると、前記緊急呼を通常呼よりも短い時間で前記緊急呼オフィス（１１０）へ接続する。
【００２５】
本発明の緊急呼接続システムにおいて、前記無線アクセス網（１３０）に含まれる空き通信無線チャネル数が、前記交換機（１２０）から通知された前記緊急呼オフィス接続空き端子番号（ＮＢ）の数よりも少ない場合、前記無線アクセス網（１３０）が、前記空き通信無線チャネル数分の前記緊急呼オフィス接続空き端子番号（ＮＢ）を選択し、前記選択した前記緊急呼オフィス接続空き端子番号（ＮＢ）を含む前記報知情報（ＮＢｂ）を、前記基地局（１３０−２）から前記放送する。
【００２６】
本発明の緊急呼接続システムにおいて、前記基地局（１３０−２）を複数含み、前記複数の基地局（１３０−２）のうちの第１の前記基地局（１３０−２ａ）から放送された前記報知情報（ＮＢｂ）に、前記緊急呼オフィス接続空き端子番号（ＮＢ）が含まれない場合、前記移動体端末（１４０）は、前記複数の基地局（１３０−２）のうちの第２の前記基地局（１３０−２ｂ）から放送される前記報知情報（ＮＢｂ）に含まれる前記緊急呼オフィス接続空き端子番号（ＮＢ）を一つ選択し、前記無線アクセス網（１３０）に対し、前記選択した前記緊急呼オフィス接続空き端子番号（ＮＢ）を含む前記発信要求信号を送信する。
【００２７】
本発明の緊急呼接続システムにおいて、前記無線アクセス網（１３０）が、前記移動体端末（１４０）から前記発信要求信号を受信した場合、前記発信要求信号に含まれる前記緊急呼オフィス接続空き端子番号（ＮＢ）を含む前記報知情報（ＮＢｂ）の前記放送を中止し、前記移動体端末（１４０）以外の他の移動体端末（１４０−ａ）から前記放送の中止された前記緊急呼オフィス接続空き端子番号（ＮＢ）を含む前記発信要求信号を受信した場合には、前記緊急呼の発信拒否を前記他の移動体端末（１４０−ａ）に通知し、前記通知した前記他の移動体端末（１４０−ａ）に対し、前記緊急呼番号（ｂ）に対応する前記緊急呼オフィス接続空き端子番号（ＮＢ）のうち、前記発信要求信号に含まれない前記緊急呼オフィス接続空き端子番号（ＮＢ）の選択を要求する。
【００２８】
本発明の緊急呼接続システムでは、無線アクセス網（１３０）から緊急呼および通常呼のいずれか一方の呼を受信し、受信した前記呼を緊急呼オフィス（１１０）に接続する交換機（１２０）は、前記緊急呼を受信した後、前記緊急呼を発信した移動体端末（１４０）と前記無線アクセス網（１３０）の通信ベアラを確立し、前記通信ベアラの前記交換機側終端点を示す交換機側終端点番号（Ａ）と前記緊急呼オフィスに固有の接続情報である緊急呼オフィス接続端子番号（Ｂ）とを接続し、前記移動体端末（１４０）および前記緊急呼オフィス（１１０）のいずれか一方からの切断信号を受信すると、前記接続した状態を切断し、前記切断した後に前記交換機側終端点番号（Ａ）および前記緊急呼オフィス接続端子番号（Ｂ）、前記通信ベアラを解放する。
【００２９】
本発明の緊急呼接続システムでは、無線アクセス網（１３０）から緊急呼および通常呼のいずれか一方の呼を受信し、前記受信した前記呼を緊急呼オフィス（１１０）へ接続する交換機（１２０）において、前記交換機（１２０）は、予め移動体端末（１４０）と前記無線アクセス網（１３０）との間で合意されたアルゴリズムに前記無線アクセス網（１３０）が前記呼毎に生成する乱数を入力することによって行う認証処理、前記移動体端末（１４０）のユーザの希望する付加サービスに関する情報の検索、前記呼を含む無線音声信号の暗号化のために行う秘匿処理、前記移動体端末（１４０）からの着信相手を分析するために行う受信数字分析、前記ユーザが前記呼を緊急呼オフィス（１１０）に接続しているか否かに関する情報を記憶するメモリを前記ユーザが前記呼を緊急呼オフィス（１１０）に接続されていることを示す閉塞への更新、前記呼に対する課金情報とトラフィック情報の収集処理を行い、前記呼が緊急呼である場合は、前記認証処理、前記検索、前記秘匿処理、前記受信数字分析、前記メモリの前記閉塞への更新、前記収集処理の実行を省略することが可能である。
【００３０】
本発明の緊急呼接続システムでは、前記交換機（１２０）は、前記緊急呼を受信すると、前記緊急呼オフィス接続端子番号（Ｂ）のうち、前記緊急呼にて用いられていない空き端子の番号である緊急呼オフィス接続空き端子番号（ＮＢ）を前記無線アクセス網（１３０）へ通知し、前記無線アクセス網（１３０）は、前記通知された前記緊急呼オフィス接続空き端子番号（ＮＢ）を放送し、移動体端末（１４０−ａ）からの前記緊急呼の発信要求に備える。
【００３１】
本発明の緊急呼接続システムでは、記憶部と検索部と呼発信部を有する移動体端末（１４０）において、前記記憶部は、ユーザが緊急呼オフィス（１１０）に緊急呼を発信する際に必要となる緊急呼番号（ｂ）と、前記緊急呼番号（ｂ）に対応しており前記緊急呼オフィス（１１０）に固有の接続情報である緊急呼オフィス接続端子番号（Ｂ）のうち、前記緊急呼オフィス（１１０）への接続に使用されていない緊急呼オフィス接続空き端子番号（ＮＢ）を含む報知情報（ＮＢｂ）を記憶し、前記検索部は、ユーザのダイヤルした前記緊急呼番号（ｂ）に対応する前記緊急呼オフィス接続空き端子番号（ＮＢｂ）を、前記記憶部から一つ選択し、前記呼発信部は、前記検索部が選択した前記緊急呼オフィス接続空き端子番号（ＮＢｂ）を含む前記緊急呼の発信要求信号を無線アクセス網（１３０）に送信する。
【００３２】
本発明の緊急呼接続方法は、緊急呼オフィス（１１０）に緊急呼を発信する際に必要となる緊急呼番号（ｂ）を取得するステップ（Ｓ１）と、前記緊急呼番号（ｂ）に対応しており、前記緊急呼オフィス（１１０）固有の接続情報である緊急呼オフィス接続端子番号（Ｂ）のうち、前記緊急呼オフィス（１１０）への接続に使用されていない緊急呼オフィス接続空き端子番号（ＮＢ）を前記無線アクセス網（１３０）へ通知するステップ（Ｓ２）と、前記緊急呼番号（ｂ）と前記緊急呼オフィス接続空き端子番号（ＮＢ）を基に報知情報（ＮＢｂ）を形成し、前記報知情報（ＮＢｂ）を基地局（１３０−２）から放送するステップ（Ｓ３）と、前記放送する前記報知情報（ＮＢｂ）を記憶するステップ（Ｓ４）と、ユーザによる前記緊急呼の発信を検出した際に、前記記憶した前記緊急呼オフィス接続空き端子番号（ＮＢ）を一つ選択するステップ（Ｓ６）と、前記選択した前記緊急呼オフィス接続空き端子番号（ＮＢ）を含む前記緊急呼番号（ｂ）を用いて、前記緊急呼の発信要求信号を前記無線アクセス網（１３０）に送信するステップ（Ｓ７）と、前記緊急呼を交換機（１２０）に発信するステップ（Ｓ８）とを具備している。
【００３３】
本発明の緊急呼接続方法は、前記無線アクセス網（１３０）に含まれる空き通信無線チャネル数が、前記交換機（１２０）から受信した前記緊急呼オフィス接続空き端子番号（ＮＢ）の数よりも少ない場合、前記空き通信無線チャネル数分の前記緊急呼オフィス接続空き端子番号（ＮＢ）を選択し、前記選択した前記緊急呼オフィス接続空き端子番号（ＮＢ）を含む前記報知情報（ＮＢｂ）を、前記基地局（１３０−２）から放送するステップ（ＳＢ１）を具備している。
【００３４】
本発明の緊急呼接続方法において、前記基地局（１３０−２）を複数含み、前記複数の基地局（１３０−２）のうちの第１の前記基地局（１３０−２ａ）から放送された前記報知情報（ＮＢｂ）に、前記緊急呼オフィス接続端子空き番号（ＮＢ）が含まれない場合、前記移動体端末は、前記複数の基地局のうちの第２の前記基地局（１３０−２ｂ）から放送される前記報知情報（ＮＢｂ）に含まれる前記緊急呼オフィス接続空き端子番号（ＮＢ）を一つ選択し、前記選択した前記緊急呼オフィス接続空き端子番号（ＮＢ）を含む前記緊急発信要求信号を送信するステップ（ＳＣ１）を具備している。
【００３５】
本発明の緊急呼接続システムにおいて、前記移動体端末（１４０）から前記緊急発信要求信号を受信した場合、前記緊急発信要求信号に含まれる前記緊急呼オフィス接続空き端子番号（ＮＢ）を含む前記報知情報（ＮＢｂ）の前記放送を中止するステップ（ＳＤ１）と、前記放送の中止された前記緊急呼オフィス接続空き端子番号（ＮＢ）を前記移動体端末（１４０）以外の他の移動体端末（１４０−ａ）から受信した場合には、前記緊急呼の発信拒否を前記他の移動体端末（１４０−ａ）に通知し、前記緊急呼番号（ｂ）に対応する前記緊急呼オフィス接続空き端子番号（ＮＢ）のうち、前記発信要求信号に含まれない前記緊急呼オフィス接続空き端子番号（ＮＢ）の選択を要求するステップ（ＳＤ２）を具備している。
【００３６】
無線アクセス網（１３０）から緊急呼および通常呼のいずれか一方の呼を受信し、受信した前記呼を緊急呼オフィス（１１０）に接続する交換機（１２０）の動作方法において、前記緊急呼を受信した後、前記緊急呼を発信した移動体端末（１４０）と前記無線アクセス網（１３０）の通信ベアラを確立し、前記通信ベアラの前記交換機側終端点を示す交換機側終端点番号（Ａ）を得るステップ（Ｓ９）と、前記交換機側終端点番号（Ａ）が、前記緊急呼オフィス（１１０）に固有の接続情報である緊急呼オフィス接続端子番号（Ｂ）と接続するステップ（Ｓ１０）と、切断信号を受信したことに応答して、前記交換機側終端点番号（Ａ）と前記緊急呼オフィス接続端子番号（Ｂ）との接続を切断するステップ（Ｓ１１）と、前記切断した後に前記交換機側終端点番号（Ａ）と前記緊急呼オフィス接続端子番号（Ｂ）と前記通信ベアラを解放するステップ（Ｓ１２）とを具備する。
【００３７】
無線アクセス網（１３０）から緊急呼および通常呼のいずれか一方の呼を受信し、受信した前記呼を緊急呼オフィス（１１０）に接続する交換機（１２０）の動作方法において、予め移動体端末（１４０）と前記無線アクセス網（１３０）との間で合意されたアルゴリズムに対し、呼ごとに生成する乱数を入力して認証処理を行うステップ（ＳＦ１）と、前記移動体端末（１４０）の契約情報を含む加入者データベースから、ユーザの希望する付加サービスに関する情報を検索するステップ（ＳＦ２）と、前記呼を含む無線音声信号を暗号化するために秘匿処理を実施するステップ（ＳＦ３）と、前記移動体端末（１４０）の着信相手を分析するため受信数字分析を行うステップ（ＳＦ６）と、前記ユーザが前記呼を緊急呼オフィスに接続しているか否かに関する情報を記憶するメモリを前記ユーザが前記呼を緊急呼オフィスに接続されていることを示す閉塞への更新を行うステップ（ＳＦ７）と、前記呼に対する課金情報、トラフィック情報の収集処理を行うステップ（ＳＦ８）とを具備している。前記認証処理、前記検索、前記秘匿処理、前記受信数字分析、前期記憶メモリの閉塞への変更、前記収集処理は、前記緊急呼を受信した場合には必要に応じて省略する。
【００３８】
本発明の交換機（１２０）の動作方法において、前記緊急呼を受信すると、前記緊急呼オフィス接続端子番号（Ｂ）のうち、前記緊急呼にて用いられていない空き端子の番号である緊急呼オフィス接続空き端子番号（ＮＢ）を前記無線アクセス網（１３０）に通知するステップ（ＳＡ１）と、前記通知された前記緊急呼オフィス接続空き端子番号（ＮＢ）を放送するステップ（ＳＡ２）とを具備している。
【００３９】
移動体端末（１４０）の動作方法において、無線アクセス網（１３０）から放送される報知情報（ＮＢｂ）を記憶するステップ（Ｓ４）と、ユーザのダイヤルした緊急呼番号（ｂ）に対応する緊急呼オフィス接続空き端子番号（ＮＢ）を検索し、選択するステップ（Ｓ６）と、前記検索部の選択した前記緊急呼オフィス接続空き端子番号（ＮＢ）を含む緊急呼を無線アクセス網（１３０）に発信するステップ（Ｓ７）とを具備している。
【００４０】
【発明の実施の形態】
以下、本発明の実施の形態を、図面を参照しながら詳細に説明する。図１は、本発明の実施の形態に係る緊急呼接続システムの構成を示す図である。この構成は、実施の形態１および実施の形態２のいずれか一方に用いられる。
【００４１】
（実施の形態１）
図１に示すように、本発明の実施の形態に係る緊急呼接続システムは、緊急呼オフィス１１０、交換機１２０、無線アクセス網１３０、移動体端末１４０、１４０−ａから構成されている。無線アクセス網１３０は、基地局１３０−２（１３０−２ａ、１３０−２ｂ）および基地局制御装置１３０−１を有している。図１において緊急呼オフィス１１０と基地局制御装置１３０−１の数は１となっている。また、基地局１３０−２の数は２の構成になっているが、これらの数には限らない。さらに、緊急呼オフィス１１０と交換機１２０、交換機１２０と基地局制御装置１３０−１、基地局制御装置１３０−１と基地局１３０−２、基地局制御装置１３０−１と保守運用センタ１５０との間は、ネットワーク１００で接続されている。以下の説明で各基地局を特に区別する必要の無いときは、いずれの基地局も基地局１３０−２と表す。また、移動体端末１４０と移動体端末１４０−ａとは、置き換えることが可能である。
【００４２】
図１に示した構成の緊急呼接続システムは、優先呼接続サービスへ応用可能である。その場合緊急呼オフィス１１０は、優先呼オフィス１１０に置き換えられる。また、以下の説明で用いる「緊急呼」は、すべて「優先呼」に置き換え可能である。
【００４３】
緊急呼オフィス１１０は通常呼または緊急呼を受け付ける。その際、受けつけた呼が緊急呼であった場合には、必要な対処にあたる。緊急呼オフィス１１０には、予めそれぞれの緊急呼オフィス１１０に対する固有の接続情報である緊急呼オフィス接続端子番号Ｂが割り振られている。移動体端末１４０から発信要求のなされた呼が通常呼であった場合には、緊急呼オフィス１１０には、緊急時に必要な対処にあたる能力は不要となる。したがって、この場合には、「緊急呼オフィス」を例えば「着信オフィス」に置き換えることが可能である。尚、以下、緊急呼オフィス接続端子番号Ｂを端子番号Ｂと表す。
【００４４】
保守運用センタ１５０は、緊急呼番号ｂ通知手段を備えており、予め記憶している緊急呼番号ｂを、無線アクセス網１３０に通知する。この緊急呼番号ｂを見ることで、移動体端末１４０のユーザは、その緊急呼番号ｂをダイヤルすることによって接続可能な緊急呼オフィス１１０の機関が何であるかを知ることができる。機関とは、警察、病院などのことを指す。
【００４５】
交換機１２０は、空き端子番号ＮＢ検索・通知手段を備えている。この手段は、交換機１２０が第１データベース１Ｄに格納している緊急呼番号ｂに対応する緊急呼オフィス接続空き端子番号ＮＢを、予め無線アクセス網１３０に通知する処理を行うものである。または、無線アクセス網１３０から空き端子番号ＮＢが閉塞となったことを通知された際に、第１データベース１Ｄから、閉塞された空き端子番号ＮＢと同じ緊急呼番号ｂに対応する他の空き端子番号ＮＢを検索し、無線アクセス網１３０に通知する。閉塞とは、緊急呼オフィス１１０への接続に使用されていることを指す。
【００４６】
図２は、交換機１２０が有する第１データベース１Ｄに格納されている情報を示している。第１データベース１Ｄには、予め移動体通信システムでサービスされる緊急呼番号ｂと、それぞれの緊急呼番号ｂに対応する端子番号Ｂが格納されている。図２では、１つの緊急呼番号ｂに対応する端子番号Ｂの数は５であり、計２５である。この端子番号Ｂの数は、交換機１２０とネットワーク１００で接続されている緊急呼オフィス１１０の数に一致しており、図２で示す構成には限らない。交換機１２０は、空き端子番号ＮＢ検索・通知手段を備えており、図２に示す端子番号Ｂのうち、緊急呼オフィス１１０への接続に使用されていない空き端子番号ＮＢを検索し、無線アクセス網１３０へ通知する。以下、図２で示す各緊急呼番号ｂに対応するそれぞれ５種類の端子番号Ｂのうち、空き端子番号ＮＢはｂ１１〜ｂ１４、ｂ２１〜ｂ２４、ｂ３１〜ｂ３４、ｂ４１〜ｂ４４、ｂ５１〜ｂ５４であるものとする。この場合、計２０の空き端子番号ＮＢが無線アクセス網１３０へ通知される。しかし、通知される空き端子番号ＮＢの数は、この数には限らない。
【００４７】
交換機１２０は発信者と着信者のパスを接続、切断することで、受信した通常呼もしくは緊急呼を制御する。交換機１２０は緊急呼優先接続手段を備えている。この手段は、移動体端末１４０から受信した呼を、通常呼プログラムと緊急呼プログラムとに分けて処理するものである。交換機１２０が受信した呼が緊急呼であった場合、その呼は緊急呼プログラムによって処理される。緊急呼プログラムによる処理においては、交換機１２０は、まず移動体端末１４０と無線アクセス網１３０との間の通信ベアラを確立する。交換機１２０はこの通信ベアラを確立することにより、その通信ベアラの交換機側終端点を表す交換機側終端点番号Ａを得る。この交換機側終端点番号Ａは、各緊急呼ごとに個別に割り振られるものである。以下、交換機側終端点番号Ａを端子番号Ａと表す。尚、交換機１２０は、無線アクセス網１３０から受信した呼に空き端子番号ＮＢが含まれるか否かにより、その呼が緊急呼もしくは通常呼のいずれであるかの判断を行う。
【００４８】
交換機１２０が、端子番号Ａと端子番号Ｂを接続することにより、緊急呼は目的の緊急呼オフィス１１０へ接続される。移動体端末１４０もしくは緊急呼オフィス１１０のいずれかから切断信号を受信すると、交換機１２０は移動体端末１４０と無線アクセス網１３０との間の通信ベアラ、端子番号Ａ、端子番号Ｂを解放する。交換機１２０は、解放された端子番号Ｂを空き端子番号ＮＢとして記憶し、無線アクセス網１３０に通知する。
【００４９】
無線アクセス網１３０は、緊急呼番号ｂ・空き端子番号ＮＢ通知手段を備えている。無線アクセス網１３０は、保守運用センタ１５０から通知される緊急呼番号ｂと、交換機１２０から通知される端子番号Ｂとを両者の同期をとって受信する。さらに、受信した緊急呼番号ｂと端子番号Ｂとから報知情報ＮＢｂを形成し、基地局１３０−２から下り無線制御チャネルで放送する。図３は、形成される報知情報ＮＢｂを示したものである。
【００５０】
また、無線アクセス網１３０は相対空き端子番号ＮＢ通知手段を備えている。この手段は、空き通信無線チャネルが空き端子番号ＮＢより少ない場合、基地局１３０−２から空き端子番号ＮＢを、空き通信無線チャネルの数に絞って放送するものである。例えば、図２において各緊急呼番号ｂに対応する空き端子番号ＮＢは計２０である。したがって、交換機１２０から無線アクセス網１３０に通知される空き端子番号ＮＢの数も計２０である。しかし、図３に示す報知情報ＮＢｂに含まれる空き端子番号ＮＢは計１５である。これは、空き通信無線チャネル数が１５であることを意味している。しかし、いずれもこれらの数には限らない。
【００５１】
さらに無線アクセス網１３０は、緊急呼発信による端子番号Ｂ即時閉塞手段を備えている。移動体端末１４０からの緊急呼の発信要求信号を受信すると、無線アクセス網１３０はその発信要求信号に含まれる空き端子番号ＮＢの放送を即時中止する。その結果、図３に示す報知情報ＮＢｂからその空き端子番号ＮＢが削除され、移動体端末１４０−ａはその空き端子番号ＮＢが閉塞されたことを検知する。無線アクセス網１３０は移動体端末１４０−ａから閉塞された端子番号Ｂを受信した場合、緊急呼発信要求拒否を示す信号を移動体端末１４０−ａに送信し、再度空き端子番号ＮＢを検索するように促す。
【００５２】
移動体端末１４０は携帯電話などの通信端末であり、記憶部、検索部、呼発信部を有している。この移動体端末１４０は、無線インターフェイスで移動体通信網と接続されており、ユーザは自由に移動して呼を発信、継続、切断することができる。移動体端末１４０は待ち受け時緊急呼番号ｂ・空き端子番号ＮＢ検索手段を備えており、待ちうけ中に、無線アクセス網１３０の基地局１３０−２から放送される報知情報ＮＢｂを検索し、検索した報知情報ＮＢｂを、記憶部に格納する。また、移動体端末１４０は空き端子番号ＮＢ付き緊急呼発信手段を備えている。検索部はユーザのダイヤルを検出すると、記憶部に格納されている報知情報ＮＢｂに含まれる緊急呼番号ｂから、ユーザのダイアルした番号と一致する緊急呼番号ｂがあるかどうかを検索する。検索の結果一致する番号があった場合には、検索部はその番号に対応する空き端子番号ＮＢのうち、いずれか一つを選択する。選択された空き端子番号ＮＢは、呼発信部により緊急呼の発信要求信号と共に無線アクセス網１３０へ送信される。
【００５３】
さらに、移動体端末１４０は緊急呼ダイレクトリトライ手段を備えている。この手段は、基地局１３０−２ａから放送される報知情報ＮＢｂにダイアルした緊急呼番号ｂに対応する空き端子番号ＮＢが無い場合、基地局１３０−２ｂから放送される報知情報ＮＢｂを検索する。さらに、基地局１３０−２ｂから放送される報知情報ＮＢｂに含まれる空き端子番号ＮＢを１個選択した上で緊急呼発信動作を開始するものである。
【００５４】
次に本発明の一実施例による、緊急呼接続システムの動作を説明する。図４は、本発明の緊急呼接続方法における、緊急呼が交換機１２０に発信されるまでの処理の流れを示している。
【００５５】
無線アクセス網１３０は、移動体通信システムでサービスする緊急呼番号ｂを保守運用センタ１５０から得る（ステップＳ１）。交換機１２０は第１データベース１Ｄから、各緊急呼の接続に用意される端子番号Ｂのうち複数の空き端子番号ＮＢを検索し、無線アクセス網１３０へ通知する（ステップＳ２）。無線アクセス網１３０は、保守運用センタ１５０から緊急呼番号ｂを、また交換機１２０からそれぞれの緊急呼番号ｂに付随する空き端子番号ＮＢを、同期をとって受信する。さらに、緊急呼番号ｂと空き端子番号ＮＢとから報知情報ＮＢｂを形成し、基地局１３０−２ａから下り無線制御チャネルで放送する（ステップＳ３）。
【００５６】
ステップＳ２とステップＳ３の動作は、それぞれの緊急呼番号ｂに対応する空き端子番号ＮＢが複数の場合には、すべての空き端子番号ＮＢが報知情報ＮＢｂとして放送されるまで繰り返される。
【００５７】
移動体端末１４０は待ち受け中下り共通制御チャネルを検索し、報知情報ＮＢｂを記憶する（ステップＳ４）。ユーザが緊急呼番号ｂをダイアルすると、移動体端末１４０はユーザがダイヤルした番号が緊急呼番号ｂのいずれかに一致するかどうかを、記憶した報知情報ＮＢｂから検索する（ステップＳ５）。検索の結果、ユーザのダイヤルした番号が移動体端末１４０の記憶している緊急呼番号ｂのいずれにも一致しなかった場合には、ステップＳ６以下の動作は行われない。
【００５８】
移動体端末１４０は、ユーザがダイヤルした番号が緊急呼番号ｂのいずれかに一致することを検出すると、その緊急呼番号ｂを記憶すると共にユーザがダイヤルした緊急呼番号ｂに対応する空き端子番号ＮＢを検索し、その検索結果より空き端子番号ＮＢを一つ選択する（ステップＳ６）。さらに移動体端末１４０は、緊急呼の発信要求信号を無線アクセス網１３０に送信する（ステップＳ７）。その発信要求信号に応答し、無線アクセス網１３０は緊急呼を交換機１２０に発信する（ステップＳ８）。
【００５９】
交換機１２０は緊急呼を受信すると、図５に示す動作１の処理を行う。動作１の処理は、図４のステップＳ８に引き続いて行われる。
【００６０】
交換機１２０は受信した呼が緊急呼であった場合、その呼を緊急呼優先接続プログラムで処理する。緊急呼を受信すると、交換機１２０は移動体端末１４０と無線アクセス網１３０との通信ベアラを確立し、その結果端子番号Ａを得る（ステップＳ９）。端子番号Ａと端子番号Ｂとが接続すると、緊急呼は緊急呼オフィス１１０へ接続される（ステップＳ１０）。その後、交換機１２０は移動体端末１４０または緊急呼オフィス１１０からの切断信号を受信すると、端子番号Ａと端子番号Ｂの接続を切断する（ステップＳ１１）。さらに交換機１２０は、端子番号Ａと端子番号Ｂを解放して状態を空きとし、端子番号Ａ、端子番号Ｂおよび通信ベアラを解放する（ステップＳ１２）。
【００６１】
ステップＳ１２の後、解放された端子番号Ａは交換機１２０が移動体端末１４０から緊急呼を受信した際、再び使用される。また、解放された端子番号Ｂは無線アクセス網１３０に通知され、基地局１３０−２ａから報知情報ＮＢｂとして再び放送される。
【００６２】
交換機１２０は緊急呼を受信すると、図６に示す動作２の処理も行う。動作２の処理は、図４のステップＳ８に引き続いて行われる。
【００６３】
交換機１２０は、移動体端末１４０のユーザのダイヤルした緊急呼番号に対応する他の空き端子番号ＮＢを検索し、緊急呼番号ｂと共に無線アクセス網１３０へ通知する（ステップＳＡ１）。さらに、無線アクセス網１３０は、交換機１２０から通知された空き端子番号ＮＢを、基地局１３０−２から緊急呼番号ｂの付随情報として報知情報ＮＢｂに加え放送する（ステップＳＡ２）。これにより、移動体端末１４０−ａからの緊急呼に備える。
【００６４】
図７は、無線アクセス網１３０が含む空き通信無線チャネル数が、空き端子番号ＮＢより少ない場合に行われる処理を示す図である。
【００６５】
無線アクセス網１３０は、空き通信無線チャネル数分の空き端子番号ＮＢを選択し、選択した空き端子番号ＮＢを基地局１３０−２ａから放送する（ステップＳＢ１）。
【００６６】
図８はステップＳ６において、報知情報ＮＢｂに空き端子番号ＮＢが含まれていなかった場合に行われる処理を示す図である。
【００６７】
移動体端末１４０は、基地局１３０−２ｂから放送される報知情報ＮＢｂから、空き端子番号ＮＢを検索する（ステップＳＣ１）。このステップＳＣ１は、ユーザがダイヤルした緊急呼番号ｂに対応する空き端子番号ＮＢが発見されるまで繰り返される。
【００６８】
図９はステップＳ７において、無線アクセス網１３０が移動体端末１４０から緊急呼の発信を要求された際に行われる処理を示す図である。
【００６９】
無線アクセス網１３０は、緊急呼オフィス接続空き端子番号ＮＢの、報知情報ＮＢｂによる放送を即時中止して移動体端末１４０−ａに通知する（ステップＳＤ１）。さらに、無線アクセス網１３０が放送の中止された端子番号Ｂを受信した場合には、緊急呼の発信拒否を移動体端末１４０−ａに通知し、再度空き端子番号ＮＢの検索を要求する（ステップＳＤ２）。
【００７０】
移動体端末１４０は、ステップＳ６においてユーザがダイヤルした番号が、予め記憶している緊急呼番号ｂの１つと一致することを検出すると、ユーザがダイヤルした緊急呼番号ｂに対応する端子番号Ｂのうちいずれか一つを選択し、緊急呼発信動作を開始する。図１０は、ステップＳ７からステップＳ１０までに行われる動作の流れを、送受信される信号名を用いて詳細に表わしたものである。例えば、ステップＳＥ１ではＣｏｎｎｅｃｔｉｏｎ  Ｒｅｑｕｅｓｔという信号が移動体端末１４０から無線アクセス網１３０に送信されることを表している。
【００７１】
まず、移動体端末１４０は、通信用無線チャネルの要求信号（Ｃｏｎｎｅｃｔｉｏｎ  Ｒｅｑｕｅｓｔ）を、無線アクセス網１３０に送信する（ステップＳＥ１）。無線アクセス網１３０は、通信チャネル設定手順の開始を指示する信号（Ｃｏｎｎｅｃｔｉｏｎ  Ｓｅｔｕｐ）を移動体端末１４０に送信する（ステップＳＥ２）。移動体端末１４０は、通信チャネル設定が完了したことを通知する信号（Ｃｏｎｎｅｃｔｉｏｎ  Ｓｅｔｕｐ  Ｃｏｍｐｌｅｔｅ）を、無線アクセス網１３０へ送信する（ステップＳＥ３）。さらに移動体端末１４０は、前記報知情報ＮＢｂから捕捉した端子番号Ｂおよび緊急呼番号ｂと共に、サービス用コネクション確立を要求する信号（ＣＭ  Ｓｅｒｖｉｃｅ  Ｒｅｑｕｅｓｔ）を無線アクセス網１３０へ送信する。無線アクセス網１３０は移動体端末１４０から緊急呼の発信要求信号を受信すると、その緊急呼に含まれる端子番号Ｂを、報知情報ＮＢｂから削除することで閉塞とする。その上で、基地局１３０−２から再度報知情報ＮＢｂを放送する。無線アクセス網１３０は、サービス用コネクション確立を要求する信号（ＣＭ  Ｓｅｒｖｉｃｅ  Ｒｅｑｕｅｓｔ）をさらに交換機１２０へ転送する（ステップＳＥ４）。交換機１２０は、緊急呼を発信するためのコネクション確立を受け付けたことを示す信号（ＣＭ  Ｓｅｒｖｉｃｅ  Ａｃｃｅｐｔ）を、無線アクセス網１３０を経由して移動体端末１４０へ送信する（ステップＳＥ５）。移動体端末１４０は、呼設定手順を開始するための信号（Ｓｅｔ  ｕｐ）を、無線アクセス網１３０を経由して交換機１２０へ送信する（ステップＳＥ６）。交換機１２０は、呼設定手順開始を受け付けたことを示す信号（Ｃａｌｌ  Ｐｒｏｃｅｅｄｉｎｇ）を、無線アクセス網１３０を経由して移動体端末１４０に送信する（ステップＳＥ７）。交換機１２０は、移動体端末１４０から受信した端子番号Ｂに対応する緊急呼オフィス１１０がどれかを特定し、その緊急呼オフィス１１０に対して、発信があったことを通知する信号（ＩＡＭ）を送信する（ステップＳＥ８）。緊急呼オフィス１１０は、発信を受けつけたことを示す信号（ＡＣＭ）を交換機１２０に送信する（ステップＳＥ９）。
【００７２】
交換機１２０は、移動体端末１４０と無線アクセス網１３０との通信ベアラを設定することを指示するための信号（ＲＡＢ  Ａｓｓｉｇｎｍｅｎｔ  Ｒｅｑｕｅｓｔ）を送信する（ステップＳＥ１０）。無線アクセス網１３０は、移動体端末１４０と無線アクセス網１３０との通信ベアラと交換機１２０内通信ベアラを、お互いの網端子番号を交換する方法による理論的な結合を行うため、自網端子情報を含む信号（Ｅｓｔａｂｌｉｓｈ  Ｒｅｑｕｅｓｔ）を交換機１２０に送信する（ステップＳＥ１１）。交換機１２０は、無線アクセス網１３０からの信号（Ｅｓｔａｂｌｉｓｈ  Ｒｅｑｕｅｓｔ）に含まれる、無線アクセス網１３０と交換機１２０間であって、無線アクセス網１３０側の緊急呼用通話路を確立する網端子番号に加えて、交換機１２０側の網端子番号（端子番号Ａ）を搭載した信号（Ｅｓｔａｂｌｉｓｈ  Ｃｏｎｆｉｒｍ）を無線アクセス網１３０に送信する（ステップＳＥ１２）。無線アクセス網１３０は、移動体端末１４０に信号（ＲＡＢ  Ｓｅｔｕｐ）を送信する（ステップＳＥ１３）。移動体端末１４０は、無線アクセス網１３０に信号（ＲＡＢ  Ｓｅｔｕｐ  Ｃｏｍｐｌｅｔｅ）を送信する（ステップＳＥ１４）。ステップＳＥ１３とステップＳＥ１４は、無線区間の通信ベアラを確立するための動作である。無線アクセス網１３０は、移動体端末１４０を含めた無線区間の通信ベアラが確立したことを通知する信号（ＲＡＢ  Ａｓｓｉｇｎｍｅｎｔ  Ｒｅｓｐｏｎｓｅ）を交換機１２０に送信する（ステップＳＥ１５）。交換機１２０は、確立した無線区間の通信ベアラにリングバックトーンを供給し、さらに移動体端末１４０にトーンが供給されたことを通知する信号（Ａｌｅｒｔ）を、無線アクセス網１３０を経由して移動体端末１４０に送信する（ステップＳＥ１６）。
【００７３】
緊急呼オフィス１１０は、発信要求に応答したことを通知する信号（ＡＮＭ）を交換機１２０に送信する（ステップＳＥ１７）。交換機１２０は、端子番号Ａと端子番号Ｂの通話路パスを接続する。さらに、接続が完了したことを通知する信号（Ｃｏｎｎｅｃｔ）を、無線アクセス網１３０を経由して移動体端末１４０に送信する（ステップＳＥ１８）。移動体端末１４０は、接続通知を受信したことを通知する信号（Ｃｏｎｎｅｃｔ  Ａｃｋｎｏｗｌｅｄｇｅｍｅｎｔ）を、無線アクセス網１３０を経由して交換機１２０に送信する（ステップＳＥ１９）。このようにして、移動体端末１４０と緊急呼オフィス１１０との通話が開始される。
【００７４】
交換機１２０は空き端子番号Ｂを検索し、緊急呼番号ｂと伴に無線アクセス網１３０へ通知する。無線アクセス網１３０は、交換機１２０から通知された空き端子番号Ｂを、緊急呼番号ｂの付随情報として報知情報ＮＢｂに加えて放送することにより、次の移動体端末１４０からの緊急呼に備える。
【００７５】
以上の実施の形態１に係る緊急呼接続システムの説明では、移動体端末１４０から緊急呼オフィス１１０に、緊急呼が接続される場合について述べてきた。しかし、移動体端末１４０から緊急呼オフィス１１０に接続されるのは緊急呼とは限らず、通常呼である場合もある。この場合、移動体端末１４０が待ち受け中に緊急呼番号ｂと空き端子番号Ｂを含む報知情報ＮＢｂを記憶する動作は不要となり、したがって移動体端末１４０から無線アクセス網１３０への通常呼の発信要求信号に、空き端子番号Ｂは含まれない。移動体端末１４０から無線アクセス網１３０に通常呼の発信要求信号が送信されると、無線アクセス網１３０はその信号に応答して、交換機１２０に通常呼を発信する。さらに、交換機１２０はその通常呼を緊急呼オフィス１１０に接続する。
【００７６】
（実施の形態２）
この実施の形態２に係る緊急呼接続システムでは、交換機１２０は緊急呼高優先度プログラムによる処理を行う。このプログラムにおいては、緊急呼と通常呼とが独立したプログラムでなく、いずれも処理が可能なように設計されている。このプログラムには、認証処理、移動体端末１４０のユーザが希望する付加サービスに関する情報の検索、秘匿処理、端末からの受信数字分析などの処理が含まれ、交換機１２０が受信した呼が通常呼の場合には、いずれの処理も必要となる。
【００７７】
認証処理は、予め移動体端末１４０と無線アクセス網１３０との間で合意されたアルゴリズムに対し、無線アクセス網１３０が呼毎に生成する乱数を入力することによって行う。通常呼ではこの認証処理が必要であり、また認証処理を行うには、個々の移動体端末１４０を識別するための端末識別番号ＩＤが必要である。しかし、移動体端末１４０からの緊急呼に端末識別番号ＩＤが含まれなくとも、交換機１２０は、移動体端末１４０から発信された呼が緊急呼であることを認識することによって、認証処理を省略することが可能である。
【００７８】
また、交換機１２０は図１２に示す加入者データベース１２０−１を有している。加入者データベース１２０−１には、移動体端末１４０の端末識別番号ＩＤ、およびユーザが利用可能な付加サービスに関する情報が含まれている。付加サービスの種類は、図１２においては５種類となっているが、この数には限らない。図１２では、例えば移動体端末１４０−１を利用するユーザは、付加サービス１１、１２を利用することが可能であり、付加サービス１３、１４、１５は利用できないことを示している。交換機１２０は端末識別番号ＩＤを基に、加入者データベース１２０−１から、利用者の希望する付加サービスが何であるかについて検索する。しかし、緊急呼に付加サービスの提供が不要の場合には、利用者の希望する付加サービスに関する検索は行わない。
【００７９】
秘匿処理は、緊急呼または通常呼を含む無線音声信号の暗号化のために行うものであり、緊急呼の場合には省略可能である。移動体端末からの受信数字分析は、着信相手を分析するために行うものであり、交換機１２０が受信した呼が緊急呼であった場合には、スキップすることが可能である。
【００８０】
交換機１２０は、移動体端末１４０のユーザが呼を接続しているか否かを記憶するメモリを有している。交換機１２０が受信した呼が通常呼であった場合、移動体端末１４０からの受信数字分析により着信相手の分析を行った後、交換機１２０はメモリを閉塞に変更する。閉塞とは、移動体端末１４０のユーザが呼を緊急呼オフィス１１０に接続していることを示している。
【００８１】
交換機１２０が受信した緊急呼に付加サービスの提供が不要の場合には、メモリを閉塞に変更する動作は不要となる。しかし、緊急呼であった場合でも、その緊急呼に対して付加サービスの提供が必要の場合には、交換機１２０は移動体端末１４０との呼設定手順を実施して移動体端末１４０にリングバックトーンを提供した後、メモリを閉塞に変更する。
【００８２】
交換機１２０が受信した呼が通常呼であった場合、交換機１２０はユーザの状態を管理する  メモリを閉塞に変更した後、呼に対する課金・トラフィック監査を行うための情報の収集を行う。ただし、緊急呼の場合には、この情報の収集は、省略可能となる。
【００８３】
次に、本発明の実施の形態２による、緊急呼接続システムの動作を説明する。図１１は、実施の形態２において、無線アクセス網１３０から緊急呼発信要求を受信した後に、交換機１２０が行う処理の流れを示すものである。
【００８４】
交換機１２０は、予め移動体端末１４０と無線アクセス網１３０とで合意されたアルゴリズムに、無線アクセス網１３０が呼毎に生成する乱数を入力することによって認証処理を行う（ステップＳＦ１）。交換機１２０は、ユーザの希望する付加サービスが何であるかに関する情報を得るために、移動体端末１４０の契約情報を含む加入者データベース１２０−１を検索する（ステップＳＦ２）。
【００８５】
交換機１２０は、無線音声信号を暗号化するために秘匿処理を実施する（ステップＳＦ３）。交換機１２０は、移動体端末１４０と無線アクセス網１３０との間の通信ベアラを確立し、端子番号Ａを取得する（ステップＳＦ４）。交換機１２０は、移動体端末１４０との呼設定手順を実施し、移動体端末１４０にリングバックトーンを提供する（ステップＳＦ５）。交換機１２０は、移動体端末１４０から受信した受信数字の分析を行うことにより、着信相手を分析する（ステップＳＦ６）。交換機１２０は、移動体端末１４０のユーザが呼を緊急呼オフィス１１０に接続しているか否かに関する情報を記憶するメモリを、閉塞に変更する（ステップＳＦ７）。交換機１２０は、要求された呼の課金情報、トラフィック情報の収集を実施する（ステップＳＦ８）。交換機１２０は、緊急呼オフィス１１０と局間プロトコルを実施して緊急呼オフィス１１０との通話路を接続する（ステップＳＦ９）。交換機１２０は、緊急呼オフィス１１０が応答すれば、端子番号Ａと端子番号Ｂを接続する（ステップＳＦ１０）。
【００８６】
ステップＳＦ１０の後は、ステップＳ１１、ステップＳ１２と同様の動作が行われる。さらにステップＳＡ１、ステップＳＡ２と同様の動作が行われ、移動体端末１４０からの次の緊急呼に備えられる。
【００８７】
通常呼の場合、移動体端末１４０からの発信要求には、空き端子番号Ｂは含まれていない。したがって、ステップＳＦ８の後に交換機１２０は緊急呼オフィス１１０へのルートを選択し、選択されたルートへの空き端子番号Ｂを捕捉するステップが必要となる。しかし、緊急呼の場合には、緊急呼発信要求の中に空き端子番号Ｂが含まれているため、このステップは不要である。
【００８８】
【発明の効果】
本発明の緊急呼接続システムにより、端末による緊急呼が通常呼に比べて短い遅延時間で接続することができる。
【図面の簡単な説明】
【図１】本発明の緊急呼接続システムに係る構成を示す図である。
【図２】本発明の緊急呼接続システムにおける、第１データベースに格納されている情報を示した図である。
【図３】本発明の緊急呼接続システムにおける、基地局から放送される報知情報に含まれる情報を示した図である。
【図４】本発明の緊急呼接続方法における、緊急呼が交換機に送信されるまでの処理の流れを示す図である。
【図５】本発明の緊急呼接続方法の実施の形態１における、交換機内での動作１に対する処理の流れを示す図である。
【図６】本発明の緊急呼接続方法の実施の形態１における、交換機内での動作２に対する処理の流れを示す図である。
【図７】本発明の緊急呼接続方法における、無線アクセス網内で空き通信無線チャネル数が、空き端子番号Ｂより少ない場合に行われる処理を示した図である。
【図８】本発明の緊急呼接続方法における、基地局から放送される報知情報の中に、空き端子番号Ｂが含まれない場合に行われる処理を示した図である。
【図９】本発明の緊急呼接続方法における、無線アクセス網が移動体端末からの緊急呼の発信を受信した後に行われる処理を示した図である。
【図１０】本発明の緊急呼接続方法における、移動体端末が緊急呼の発信動作を開始してから、緊急呼が緊急呼オフィスに接続されるまでの処理を詳細に示した図である。
【図１１】本発明の緊急呼接続方法の実施の形態２における、交換機内での通常呼、もしくは緊急呼に対する処理の流れを示す図である。
【図１２】本発明の緊急呼接続方法における、交換機内の加入者データベースに格納されている情報を示した図である。
【図１３】本発明の緊急呼接続方法に関する、従来技術の構成を示す図である。
【符号の説明】
１１０  緊急呼オフィス
１２０  交換機
１２０−１  加入者データベース
１３０  無線アクセス網
１３０−１  基地局制御装置
１３０−２（１３０−２ａ、１３０−２ｂ）  基地局
１４０−１、１４０−ａ  移動体端末
１５０  保守運用センタ
１Ｄ  第１データベース
Ａ  交換機側終端点番号
ｂ  緊急呼番号
ＮＢｂ  報知情報
Ｂ  緊急呼オフィス接続端子番号
ＮＢ  緊急呼オフィス接続空き端子番号
ＩＤ  端末識別番号
【図１】
0003623761.tif 000002
【図２】
0003623761.tif 000003
【図３】
0003623761.tif 000004
【図４】
0003623761.tif 000005
【図５】
0003623761.tif 000006
【図６】
0003623761.tif 000007
【図７】
0003623761.tif 000008
【図８】
0003623761.tif 000009
【図９】
0003623761.tif 000010
【図１０】
0003623761.tif 000011
【図１１】
0003623761.tif 000012
【図１２】
0003623761.tif 000013
【図１３】
0003623761.tif 000014